(57)【要約】   【課題】持ち運びに便利で、かつ携帯性に優れ、しかも直ちにマーカーを用意可能なゴルフ用マーカー及びホルダーを提供すること。さらに、けがの治療効果をも有するゴルフ用マーカー及びホルダーを提供すること。  【解決手段】被磁性体からなるゴルフ用マーカー１０と、  前記ゴルフ用マーカー１０を磁着可能な磁性体からなるマーカー取付部２１と、該マーカー取付部２１に設けられたリストバンド部２２とからなるホルダー部２０とで構成した。【選択図】図６
2006223841.tif 000002
【特許請求の範囲】
【請求項１】
被磁性体からなるゴルフ用マーカーと、
前記ゴルフ用マーカーを磁着可能な磁性体を有するマーカー取付部と、該マーカー取付部に設けられたリストバンド部とからなるホルダー部と、
からなることを特徴とするホルダー付きゴルフ用マーカー。
【請求項２】
磁性体からなるゴルフ用マーカーと、
前記ゴルフ用マーカーに磁着可能な被磁性体を有するマーカー取付部と、該マーカー取付部に設けられたリストバンド部とからなるホルダー部と、
からなることを特徴とするホルダー付きゴルフ用マーカー。
【請求項３】
被磁性体からなるゴルフ用マーカーと、
前記ゴルフ用マーカーを磁着可能な磁性体を有するマーカー取付部と、該マーカー取付部の下方に突設しパターのグリップエンド頂面の孔に連結する連結部とを備えたホルダー部と、
からなることを特徴とするホルダー付きゴルフ用マーカー。
【請求項４】
磁性体からなるゴルフ用マーカーと、
前記ゴルフ用マーカーに磁着可能な被磁性体を有するマーカー取付部と、該マーカー取付部の下方に突設しパターのグリップエンド頂面の孔に連結する連結部とを備えたホルダー部と、
からなることを特徴とするホルダー付きゴルフ用マーカー。
【請求項５】
ゴルフ用マーカーは、個別に各種の色が配色されてなることを特徴とする請求項１から４のいずれかに記載のホルダー付きゴルフ用マーカー。
【請求項６】
ゴルフ用マーカーの表面に、文字を記載可能なスペースが備えてあることを特徴とする請求項１から５のいずれかに記載のホルダー付きゴルフ用マーカー。
【請求項７】
被磁性体からなるゴルフ用マーカーを磁着可能な磁性体を有するマーカー取付部と、該マーカー取付部の下方に突設しパターのグリップエンド頂面の孔に連結する連結部とを備えたホルダー部を、前記パターのグリップエンド頂面に前記連結部を前記孔に挿入して取付けたことを特徴とするホルダー付きパター。
【請求項８】
磁性体からなるゴルフ用マーカーに磁着可能な被磁性体を有するマーカー取付部と、該マーカー取付部の下方に突設しパターのグリップエンド頂面の孔に連結する連結部とを備えたホルダー部を、前記パターのグリップエンド頂面に前記連結部を前記孔に挿入して取付けたことを特徴とするホルダー付きパター。
【発明の詳細な説明】
【技術分野】
【０００１】
本発明は、ゴルフ用のマーカーとこのマーカーをゴルフプレー中に持ち運ぶためのホルダーとからなるホルダー付きゴルフ用マーカー及びホルダー付きパターに関する。
【背景技術】
【０００２】
従来から、ゴルフ用マーカーとしては、種々の形態のものが提案されている。例えば、コイン状のものや、このコインの中心に突起を設けてこの突起部をグリーン上に挿すことができるようにしたものなどがある。そして、これらゴルフ用マーカーを持ち運ぶときは、プレーヤーがポケットに入れて持ち運んでいるのが現状である。
【０００３】
しかしながら、プレーヤーは、ゴルフボールを置くためのティーや予備のゴルフボールなどもポケット内に入れて持ち運ぶため、ポケット内の小さなマーカーを探すのに手間取ることが多かった。
【０００４】
また、ゴルフプレーヤーは手首をけがすることが多い。しかしながら、けがをした場合に手首にバンテージや包帯を巻いてプレーを行うと違和感があり、プレーに支障がでる場合があった。
【発明の開示】
【発明が解決しようとする課題】
【０００５】
そこで、本発明は以上のような問題点を鑑みてなされたものであり、持ち運びに便利で、かつ携帯性に優れ、しかも直ちにマーカーを用意可能なホルダー付きゴルフ用マーカー及びホルダー付きパターを提供することにある。さらに、けがの治療効果をも有するホルダー付きゴルフ用マーカーを提供することにある。
【課題を解決するための手段】
【０００６】
以上のような課題を解決するために請求項１に係る発明が採った手段は、被磁性体からなるゴルフ用マーカー１０と、前記ゴルフ用マーカー１０を磁着可能な磁性体を有するマーカー取付部２１と、該マーカー取付部２１に設けられたリストバンド部２２とからなるホルダー部２０と、からなることを特徴とするホルダー付きゴルフ用マーカー１００、とするものである。
【０００７】
また、請求項２に係る発明が採った手段は、磁性体からなるゴルフ用マーカー１０と、前記ゴルフ用マーカー１０に磁着可能な被磁性体からなるマーカー取付部２１と、該マーカー取付部２１に設けられたリストバンド部２２とからなるホルダー部２０と、からなることを特徴とするホルダー付きゴルフ用マーカー１００、とするものである。
【０００８】
本請求項１及び２に記載されたホルダー付きゴルフ用マーカー１００は、ゴルフ用マーカー１０を手首に巻き付けたホルダー部２０に取り付けて持ち運ぶものである。そのためにホルダー部２０には、ゴルフ用マーカー１０を取り付けることができるマーカー取付部を設けてある。そして、ゴルフ用マーカー１０又はマーカー取付部２１は、いずれかを磁性体で、一方を被磁性体で作製してある。したがって、ゴルフ用マーカー１０をマーカー取付部２１に磁着させることができる。なお、本明細書及び特許請求の範囲に記載されている「被磁性体」とは磁性体に磁着する性質をもつ物質を指す。
【０００９】
ゴルフ用マーカー１０の形状は通常は円形のコイン上に作製されるが、特にその形状を限定するものではない。例えば、四角形や星形であってもよい。また、ゴルフ用マーカー１０をグリーンに挿すことができるように裏面に突起部を設けても構わない。この場合、マーカー取付部２１は突起部を収納できるように形成して磁着させるか、若しくは表側をマーカー取付部２１に磁着させることになる。
【００１０】
一方、マーカー取付部２１は、ゴルフ用マーカー１０を磁着させることができれば、特に形状等は限定するものではない。ここでのマーカー取付部２１はリストバンド部２２に取り付けられていて、時計のバンドのように腕に巻き付けることができるようにされている。その素材は特に限定するものではなく、金属で作製しても革で作製しても構わない。マーカー取付部２１はパターのグリップエンド頂面に取り付けられていても良い。
【００１１】
請求項３に係る発明が採った手段は、被磁性体からなるゴルフ用マーカー１０と、前記ゴルフ用マーカー１０を磁着可能な磁性体を有するマーカー取付部２１と、該マーカー取付部２１の下方に突設しパター３００のグリップエンド頂面３０１の孔３０２に連結する連結部３１とを備えたホルダー部１２０と、からなることを特徴とするホルダー付きゴルフ用マーカー２００、とするものである。
【００１２】
請求項４に係る発明が採った手段は、磁性体からなるゴルフ用マーカー１０と、前記ゴルフ用マーカー１０に磁着可能な被磁性体を有するマーカー取付部２１と、該マーカー取付部２１の下方に突設しパター３００のグリップエンド頂面３０１の孔３０２に連結する連結部３１とを備えたホルダー部１２０と、からなることを特徴とするホルダー付きゴルフ用マーカー２００、とするものである。
【００１３】
本請求項３及び４に記載されたホルダー付きゴルフ用マーカー２００は、ゴルフ用マーカー１０をパター３００のグリップエンド頂面３０１に取り付けて持ち運ぶものである。そのためにホルダー部１２０には、ゴルフ用マーカー１０を取り付けることができるマーカー取付部２１と、パター３００のグリップエンド頂面３０１の孔３０２に連結する連結部３１とを設けてある。
【００１４】
ここでのマーカー取付部２１はパター３００のグリップエンド頂面３０１に取り付けられていて、パター３００を逆さまにしても磁着によりゴルフ用マーカー１０がホルダー部１２０から落ちることなく、他のクラブのように大きく振り回すこともないのでグリップから飛んでいくこともなく、雨でも吸着力が強い。なお、その他構成要素が同一もしくは類似しているものは同一の符号を使用しており、上記説明と同様である。
【００１５】
さらに、請求項５に記載された発明が採った手段は、ゴルフ用マーカー１０は、個別に各種の色が配色されてなることを特徴とする請求項１から４のいずれかに記載のホルダー付きゴルフ用マーカー１００，２００、とするものである。
【００１６】
ゴルフ用マーカー１０に色を設けることで、ゴルフマーカーによって様々なサインを表示できるようにしたものである。例えば、ゴルフプレーヤーの技量に応じて、プロ、シングルプレーヤー、中級者、ビギナー等に分けて、前者から金、銀、銅、緑のように色で区別すれば、その人の技量を知らない人が見ても、ゴルフ用マーカー１０を見るだけで、そのプレーヤーの技量を判断することができるようになる。勿論、配色方法は特に限定するものではないし、色に対して意味するところも限定するものではない。
【００１７】
さらに、請求項６に記載された発明が採った手段は、ゴルフ用マーカー１０の表面に、文字を記載可能なスペースが備えてあることを特徴とする請求項１から５のいずれかに記載のホルダー付きゴルフ用マーカー１００，２００、とするものである。
【００１８】
このようにゴルフ用マーカー１０に文字を記載可能なスペースを設けることによって、他人に対して、例えば、「うまくなりたいです。」や「ワンポイントアドバイスをください。」などのメッセージを載せることができるようになる。このメッセージは、初めから記載されていてもよいし、シールなどにしておいて後から貼りつけたりしてもよい。
【００１９】
また、使用者のレベルにあわせたレッスン内容であるワンポイントアドバイスのメッセージ、例えば、「ヘッドアップするな！」、「スイングが大切」、「素振りのリズム感を見直せ！」や「右手でガツンと打つな！」などの使用者に対するメッセージを載せることができるようになる。これらは使用者自身へのメッセージであり、予め記載されていても良い。
【００２０】
さらに、そのスペースに使用者のハンディキャップ、例えば１〜２７の数字を載せることができる。メッセージとハンディキャップは同一面に設けても良いし、表裏面に分けて設けても良い。例えば、ゴルフ用マーカー１０の表面にワンポイントアドバイスのメッセージを記載し、その裏面にハンディキャップを記載しても良い。
【００２１】
ゴルフ用マーカー１０は全世界に向けて販売対応可能とされており、上記メッセージ等の文字は、使用者が使用する現地用の言語にあわせて記載されている。例えば、日本人用のものには日本語が記載され、アメリカ人用には米語（英語）が記載されている。なお、大会に使用するときには文字を記載したマーカーは使用できないので、ゴルフ用マーカー１０のスペースに何も載せないことで、大会用としての使用もできる。
【００２２】
請求項７に記載された発明が採った手段は、被磁性体からなるゴルフ用マーカー１０を磁着可能な磁性体を有するマーカー取付部２１と、該マーカー取付部２１の下方に突設しパター３００のグリップエンド頂面３０１の孔３０２に連結する連結部３１とを備えたホルダー部１２０を、前記パター３００のグリップエンド頂面３０１に前記連結部３１を前記孔３０２に挿入して取付けたことを特徴とするホルダー付きパター３００、とするものである。
【００２３】
請求項８に記載された発明が採った手段は、磁性体からなるゴルフ用マーカー１０に磁着可能な被磁性体を有するマーカー取付部２１と、該マーカー取付部２１の下方に突設しパター３００のグリップエンド頂面３０１の孔３０２に連結する連結部３１とを備えたホルダー部１２０を、前記パター３００のグリップエンド頂面３０１に前記連結部３１を前記孔３０２に挿入して取付けたことを特徴とするホルダー付きパター３００、とするものである。
【発明の効果】
【００２４】
本請求項１及び２に記載された発明によれば、ゴルフ用マーカーは、手首に設けてあるので、ポケット内で探すことなく直ちに取り外してマーカーとして使用することができる。また、使用後は、ゴルフ用マーカーをグリーンから拾い上げてホルダー部のマーカー取付部に磁着させて容易に持ち運ぶことができる。また、ゴルフ用マーカー又はホルダーは磁性体で作製されているので、磁力の効果によって手首の血行をよくすることができ痛めた手首の治療を行うことができる。
【００２５】
本請求項３及び４に記載された発明によれば、ゴルフ用マーカーは、ホルダー部の連結部をパターのグリップエンド頂面の孔に挿入してホルダー付きゴルフ用マーカーをパターに設けることができるので、ゴルフ用マーカーをパターに取り付けて持ち運ぶことができ、ポケット内で探すことなく直ちに取り外してマーカーとして使用することができる。また、使用後は、ゴルフ用マーカーをグリーンから拾い上げてホルダー部のマーカー取付部に磁着させて容易に持ち運ぶことができる。
【００２６】
本請求項５に記載された発明によれば、ゴルフ用マーカーに色を設けて、色による識別標識としての機能を持たせることで、様々なサインとして使用することができるようになる。
【００２７】
本請求項６に記載された発明によれば、他人に対してメッセージを載せたりすることができるようになる。
【００２８】
本請求項７及び８に記載された発明によれば、ホルダー付きパターは、磁着によってホルダーにゴルフ用マーカーを取付けることができるので、ゴルフ用マーカーをポケット内で探すことなく直ちに取り外して使用することができる。また、使用後は、ゴルフ用マーカーをグリーンから拾い上げてホルダー部のマーカー取付部に磁着させて容易に持ち運ぶことができる。さらに、パターのグリップエンド頂面にホルダーが設けてあるので、ゴルフ用マーカーが雨、スイングで飛んでいくことを防止することができる。
【発明を実施するための最良の形態】
【００２９】
（実施例１）
以下、本発明について実施例に沿って説明する。図１には、本実施例１に係るゴルフ用マーカー１０が図示されている。図２には、実施例１に係るホルダー部２０が図示されている。ゴルフ用マーカー１０は、被磁性体である鉄を用いて、直径約２ｃｍで、厚さが１ｍｍ程度のコイン状に作製されている。その表面はプレーヤーの技量によって、異なるゴルフ用マーカーを使用することができるように個別に色分けされていて、例えば、プロ級の腕前の人は金色、ハンディキャップが０〜５の人は銀色、５〜９の人は銅、中級者でハンディキャップが１０〜１８の人は青、初心者はグリーンといった具合に作製されている。このように使用者によって使用するゴルフ用マーカー１０の色を区別して作製すれば、その色によって第三者は直ちにその人の実力を判断することができるようになる。また、ゴルフ用マーカー１０の表面には種々の模様が付されており、その周囲に文字を記載するスペースが設けてある。勿論、模様の種類や文字のスペース等は任意に設定して構わないし、記載する文字もどのようなものであっても構わない。例えばハンディキャップの数を記載したり、初心者にとっては、「うまくなりたいです。」、「ワンポイントアドバイスをください。」、「ゴルフ教えてください」などといったメッセージ性を有する文字を載せたりしても構わない。また、文字については初めから彫り込みのように記載しておいても構わないし、文字の記載できる場所及び形状を統一したものを作製し、文字が記載されたシール等を貼るようにしてもよい。裏面は特に模様はなく取付部に取付け易いように平面状に作製されている。
【００３０】
一方、ホルダー部２０は、マーカー取付部２１と、リストバンド部２２とからなる。マーカー取付部２１は、ゴルフ用マーカー１０より一回り小さく作製されており、ゴルフ用マーカー１０を取り付けられたときに、ゴルフ用マーカー１０の周囲がマーカー取付部２１から飛び出すようにして取り外しし易いようにされている。マーカー取付部２１は、中心に磁石２３が取り付けられていてゴルフ用マーカー１０を磁着させることができる。
【００３１】
リストバンド部２２は、手首に巻き付けることができるように複数の金属片をそれぞれが回動自在となるように結合されて作製されている。リストバンドの長さは、手首の周りの長さと適合するように調整して決定される。両端部は結合することができるような結合部を備えており、端部同士を係合させて図３のように手首に巻き付けることができる。なお、リストバンド部２２は必ずしも金属で作製する必要はなく、図４のように革バンドで作製しても構わない。
【００３２】
以上のように作製されたホルダー付きゴルフ用マーカー１００は、図５に示すように、プレー中はホルダー部２０を手首に巻き、ゴルフ用マーカー１０をマーカー取付部２１に磁着させた状態で使用される。そして、ゴルフ用マーカー１０をグリーン上でボールの位置を表すためにマーキングとして使用する場合には、図６に示すようにゴルフ用マーカー１０をホルダー部２０から取り外して、図７のようにグリーンに載置してマーキングとして使用される。その後、マーキングの必要なくなった場合は、またゴルフ用マーカー１０をホルダー部２０に磁着させて持ち運びながらプレーが続行される。
【００３３】
このように、実施例１のホルダー付きゴルフ用マーカー１００によれば、ゴルフ用マーカー１０を容易に取り外してマーキングとして使用することができる。また、使用し終わったときは、ゴルフ用マーカー１０をグリーンから拾い上げてホルダー部２０のマーカー取付部２１に磁着させるだけで簡単に持ち運ぶことができる。また、ホルダー部２０は磁性体で作製されているので、手首の血行をよくすることができ、痛めた手首の治療を行うこともできる。
【００３４】
なお、図示しないが、ゴルフ用マーカー１０を磁性体とし、ホルダー部２０側を被磁性体として作製しても構わない。
【００３５】
（実施例２）
図８に、実施例２に係るホルダー付きゴルフ用マーカー１００が示されている。実施例２に係るゴルフ用マーカー１０は、実施例１のゴルフ用マーカー１０に対して、裏面に突起部１１が設けられている。これはマーキングをするときに、グリーンに突起部１１を挿すことによって固定できるようにされている。突起部１１の形状については特に限定するものではない。その他の構成については実施例１と同様であるので省略する。
【００３６】
一方、ホルダー部２０は、マーカー取付部２１自体が磁石で作製されていて、中心に孔２４が設けられている。したがって、ゴルフ用マーカー１０を磁着する際には、この中心の孔２４に突起部１１を収納させて取り付ける。それ以外のホルダー部２０の構成は実施例１と同様である。
【００３７】
このようにして作製された実施例２におけるゴルフ用マーカー１０とホルダー部２０は実施例１と同様に、プレー中は、ホルダー部２０を手首に巻き、ゴルフ用マーカー１０をマーカー取付部２１に磁着させた状態で使用される。そして、グレーン上で、ボールの位置を表すためにゴルフ用マーカー１０を使用する必要がある場合には、にゴルフ用マーカー１０をホルダー部２０から取り外して、グリーンに載置してマーキングとして使用される。
【００３８】
（実施例３）
図９に、実施例３に係るホルダー付きゴルフ用マーカー２００が示されている。図１０に、ホルダー付きゴルフ用マーカー２００の使用状態を示す断面図が示されている。図１１に、実施例3に係るホルダーをグリップエンド頂面の孔に取り付けたパター３００が示されている。
【００３９】
実施例３に係るホルダー付きゴルフ用マーカー２００は、パター３００のグリップエンド頂面３０１に設けられた孔３０２を利用して、ゴルフ用マーカー１０をパター３００のグリップエンド頂面３０１に取り付けて持ち運ぶことができるようにされたものである。ホルダー付きゴルフ用マーカー２００は、全重量が２５ｇから３５ｇの範囲内となるように選択されており、ゴルフ用マーカー１０と、ホルダー部１２０とからなる。
【００４０】
ゴルフ用マーカー１０は、図９に示すように、実施例１のゴルフ用マーカー１０に対して、中央部に孔１２が設けられ、いわゆるドーナツ状に形成されている。孔１２は、パター３００の孔３０２より大径に形成されており、マーカー取付部２１に磁着させるときに、ホルダー部１２０への案内ができるようにされている。
【００４１】
また、図示しないが、ゴルフ用マーカー１０の表面には、例えば１から２７迄のいずれかの数字が予め記載してあり、使用者が自己のハンディキャップが記載されたものを選択して使用できるようにされている。さらに、ゴルフ用マーカー１０の裏面には、「ヘッドアップするな！」などのワンポイントアドバイスが予め記載されている。
【００４２】
ホルダー部１２０は、マーカー取付部２１と、連結部３１とを備えている。マーカー取付部２１は、図１０に示すように、中央部にゴルフ用マーカー１０の孔１２及びパター３００の孔３０２より小径の孔２５が形成されている。
【００４３】
また、マーカー取付部２１の表面には、孔２５を中心軸としてゴルフ用マーカー１０の孔１２と略同径の凹部２６が形成されている。マーカー取付部２１には、孔２５に貫通するネジ３０が、凹部２６から孔２５に貫通して取り付けられている。
【００４４】
連結部３１は、マーカー取付部２１の下方に突設したネジ３０の先端にゴムなどの合成樹脂製の弾性体で被覆が施されて、パター３００のグリップエンド頂面の孔３０２より太径に形成されている。これは、ネジ３０に固定されており、ホルダー部１２０をパター３００のグリップエンド頂面３０１の孔３０２に挿入することによってグリップに固定できるようにされている。
【００４５】
さらに、ネジ３０の頭部３２は、マーカー取付部２１及びこれに磁着されたゴルフ用マーカー１０の上方に突設するようにされており、首部３３とともにホルダー部１２０を構成している。ネジ３０の首部３３には、ゴムなどの合成樹脂製の弾性体で被覆が施されてマーカー取付部２１の孔２５より大径で、凹部２６より小径若しくは略同径に形成されている。
【００４６】
ホルダー付きゴルフ用マーカー２００は、連結部３１を備えているので、これをパター３００のグリップエンド頂面３０１の孔３０２に挿入してパター３００に取り付けて持ち運ぶことができる。
【００４７】
また、ホルダー付きゴルフ用マーカー２００によれば、全重量が２５ｇから３５ｇの範囲内とされているので、パター３００に取り付けた場合にパター３００の重心を上方へ移動させることができ、特にホルダー付きゴルフ用マーカー２００の全重量が約３５ｇに選択されている場合には重心が上昇したパター３００をブレなく振ることができ、スコアーアップに寄与し、好適である。
【００４８】
また、マーカー１０をポケット内で探すことなく直ちに取り外してマーカー１０として使用することができる。また、使用後は、ゴルフ用マーカー１０をグリーンから拾い上げてホルダー部１２０のマーカー取付部２１に磁着させて容易に持ち運ぶことができる。帽子に係止して持ち歩く場合と比較しても面倒くさくなく、使い勝手が良い。
【００４９】
さらに、連結部３１は、マーカー取付部２１の下方に突設したネジ３０の先端にゴムなどの合成樹脂製の弾性体で被覆を施され、パター３００のグリップエンド頂面３０１の孔３０２より太径に形成されネジ３０に固定されているので、挿入力により弾性変形して孔３０２に挿入され、挿入後に孔３０２より小径となる力が働かず孔３０２内に保持され、ネジ３０の抜脱が防止される。
【００５０】
パター３００のホルダー部１２０は、頭部３２を備え頭部３２がゴルフ用マーカー１０の孔１２に貫通するようにしてドーナツ状のゴルフ用マーカー１０をホルダー部１２０へ案内し、マーカー取付部２１に磁着したゴルフ用マーカー１０の上方に突設した状態となるようにされているので、磁着状態のゴルフ用マーカー１０がマーカー取付部２１上から横方向へずれないし、離れない。また、同様にして横方向へ外れないし、とれない。
【００５１】
しかも、頭部３２を備えていることで、グリップが下方となるようにパター３００を逆さまにしたときに頭部３２が接地する。これにより、ゴルフ用マーカー１０及びマーカー取付部２１が直接接地することを防止し、ホルダー部１２０に磁着されたゴルフ用マーカー１０との間に砂などが侵入することを防ぎ、首部３３とともにゴルフ用マーカー１０のマーカー取付部２１からの抜脱を防止できる。
【００５２】
このようにホルダー１２０が固定されたホルダー付きパター３００によれば、固定されたホルダー１２０に磁着によってゴルフ用マーカー１０を着脱自在に取付けることができ、これによって、パター３００に付けて持ち運ぶことができ、さらに、ゴルフ用マーカー１０が雨、スイングで飛んでいくことを防止することができる。
【００５３】
以上、本発明のプレス機についての最良の形態を、実施例に基づいて説明したが、本発明は上記実施例に記載した構成に限定されるものではなく、その趣旨を逸脱しない範囲において適宜その構成を変更することができる。
【００５４】
例えば、上記実施例においては、連結部３１は、ネジ３０の先端にゴムなどの合成樹脂製の弾性体で被覆が施されて、パター３００のグリップエンド頂面の孔３０２より太径に形成されているが、何らこれに限定されるものではなく、マーカー取付部２１の下方に突設しパター３００のグリップエンド頂面の孔３０２に連結するものであればよい。例えば、マーカー取付部２１から下方へ突設する連結部を一体に形成しても良い。
【図面の簡単な説明】
【００５５】
【図１】実施例１に係るゴルフ用マーカーを示す図である。
【図２】実施例１に係るホルダー部を示す図である。
【図３】実施例１に係るホルダー部のリストバンド部の変形例を示す図である。
【図４】実施例１に係るゴルフ用マーカー及びホルダーの使用状態を示す図である。
【図５】実施例１に係るゴルフ用マーカー及びホルダーを使用してプレーしている状    態を示す図である。
【図６】実施例１に係るゴルフ用マーカー及びホルダーからゴルフ用マーカーを取り    外した状態を示す図である。
【図７】実施例１に係るゴルフ用マーカーでグリーン上にマーキングしている状態を    示す図である。
【図８】実施例２に係るゴルフ用マーカー及びホルダーを示す図である。
【図９】実施例３に係るゴルフ用マーカー及びホルダーを示す図である。
【図１０】実施例３に係るゴルフ用マーカーの使用状態を示す断面図である。
【図１１】実施例３に係るホルダーをグリップエンド頂面の孔に取り付けたパターを示す図である。
【符号の説明】
【００５６】
１０            ゴルフ用マーカー
２０，１２０    ホルダー部
２１            マーカー取付部
２２            リストバンド部
３１            連結部
１００，２００  ホルダー付きゴルフ用マーカー
３００          ホルダー付きパター
３０１          グリップエンド頂面
３０２          孔
【図１】
2006223841.tif 000003
【図２】
2006223841.tif 000004
【図３】
2006223841.tif 000005
【図４】
2006223841.tif 000006
【図５】
2006223841.tif 000007
【図６】
2006223841.tif 000008
【図７】
2006223841.tif 000009
【図８】
2006223841.tif 000010
【図９】
2006223841.tif 000011
【図１０】
2006223841.tif 000012
【図１１】
2006223841.tif 000013